(57)【特許請求の範囲】
【請求項１】
ユーザ名に対応したパスワードの入力文字を画面表示することを示す前記ユーザ名を記憶する記憶手段と、
ログイン要求が発生した場合、ユーザ名を入力すると、その入力されたユーザ名が前記記憶手段により記憶されたユーザ名であるかどうかの検索を行う検索手段と、
前記検索手段により前記入力されたユーザ名が前記記憶されたユーザ名であるならばパスワードの文字が１文字入力される毎に入力された文字を１文字毎に画面に表示する表示手段とを有することを特徴とするパスワード表示方式。
【請求項２】
前記検索手段により前記入力されたユーザ名が前記記憶されたユーザ名でなければパスワードの文字を入力しても入力した文字を画面に表示しない未表示手段を有することを特徴とする請求項１記載のパスワード表示方式。
【請求項３】
クライアントが他装置からログインの要求を受信し、前記クライアントがパスワードを入力される場合のパスワード表示方法であって、
前記クライアントは、ログイン要求が発生すると、ユーザ名入力画面を表示し、
前記ユーザ名入力画面にユーザ名が入力されると、予め登録されたユーザ名の有無を検索することにより前記ユーザ名に該当するパスワードを表示するかどうかをチェックし、
パスワード名入力画面を表示し、
パスワードを表示することを検出した場合に前記パスワード入力画面にパスワードの文字が１文字入力される毎に、入力されたパスワードの文字を表示することを特徴とするパスワード表示方法。
【請求項４】
クライアントが他装置からログインの要求を受信し、前記クライアントがパスワードを入力される場合のパスワード表示方法であって、
前記クライアントは、ログイン要求が発生すると、ログイン入力画面を表示し、
前記ログイン入力画面にユーザ名が入力されると、予め登録されたユーザ名の有無を検索することにより前記ユーザ名に該当するパスワードを表示するかどうかをチェックし、
パスワードを表示することを検出した場合に前記ログイン入力画面にパスワードの文字が１文字入力される毎に、入力されたパスワードの文字を表示することを特徴とするパスワード表示方法。
【請求項５】
クライアントが他装置からログインの要求を受信し、前記クライアントがパスワードを入力される場合のパスワード表示方法であって、
前記クライアントは、パスワードの入力文字を画面に表示させたいユーザ名を登録した記憶部を準備し、
ログイン要求が発生すると、ユーザ名入力画面を表示し、
前記ユーザ名入力画面にユーザ名が入力されると、ユーザ名を取得し、
そのユーザ名が記憶部に登録されているかどうかを検索し、
登録されていれば、表示モードをオンに設定し、
表示モードが設定されると、パスワード入力画面を表示し、
前記パスワード入力画面にパスワードの文字が１文字入力される毎に、前記表示モードをチェックし、
前記表示モードがオンであれば、パスワードの文字を１文字毎に表示することを特徴とするパスワード表示方法。
【請求項６】
クライアントが他装置からログインの要求を受信し、前記クライアントがパスワードを入力される場合のパスワード表示方法であって、
前記クライアントは、パスワードの入力文字を画面に表示させたいユーザ名を登録した記憶部を準備し、
ログイン要求が発生すると、ログイン入力画面を表示し、
前記ログイン入力画面にユーザ名が入力されると、ユーザ名を取得し、そのユーザ名が記憶部に登録されているかどうかを検索し、
登録されていれば、表示モードをオンに設定し、
表示モードが設定された後に、前記ログイン入力画面にパスワードの文字が１文字入力される毎に、前記表示モードをチェックし、
前記表示モードがオンであれば、パスワードの文字を１文字毎に表示することを特徴とするパスワード表示方法。
【請求項７】
パスワードの表示をすることを検出しない場合に前記パスワード入力画面にパスワードの文字が入力されると、入力されたパスワードの文字を表示しないことを特徴とする請求項３または４記載のパスワード表示方法。
【請求項８】
前記表示モードがオフであれば、パスワードの文字を表示しないことを特徴とする請求項５または６記載のパスワード表示方法。
【発明の詳細な説明】
【０００１】
【発明の属する技術分野】
本発明は、パスワード入力表示方式および方法に関し、特に、ログインの要求時に入力するパスワードの文字のパスワード入力表示方式および方法に関する。
【０００２】
【従来の技術】
従来、パスワードの文字を入力する場合、一般的には、入力したパスワードの文字をわからないようにするため、入力した文字と違う文字に置き替え（例えば一律に「＊」に変換）、画面に表示する。
【０００３】
【発明が解決しようとする課題】
入力したパスワードの文字と違う文字に置き替えて表示する従来技術は、入力文字を確認しながら入力できないため、文字の入力ミスが起こるという問題点がある。
【０００４】
本発明の目的は、上記問題点を鑑み、必要に応じて、パスワードを入力する時に入力文字が認識できる点にある。
【０００５】
【課題を解決するための手段】
上記の目的を達成するために、本発明のパスワード表示方式は、ユーザ名に対応したパスワードの入力文字を画面表示することを示す前記ユーザ名を記憶する記憶手段と、ログイン要求が発生した場合、ユーザ名を入力すると、その入力されたユーザ名が前記記憶手段により記憶されたユーザ名であるかどうかの検索を行う検索手段と、前記検索手段により前記入力されたユーザ名が前記記憶されたユーザ名であるならばパスワードの文字が１文字入力される毎に入力された文字を１文字毎に画面に表示する表示手段とを有することを特徴としている。
【０００６】
更に、前記検索手段により前記入力されたユーザ名が前記記憶されたユーザ名でなければパスワードの文字を入力しても入力した文字を画面に表示しない未表示手段を有することを特徴としている。
【０００７】
また、本発明の第１のパスワード表示方法は、クライアントが他装置からログインの要求を受信し、前記クライアントがパスワードを入力される場合のパスワード表示方法であって、前記クライアントは、ログイン要求が発生すると、ユーザ名入力画面を表示し、前記ユーザ名入力画面にユーザ名が入力されると、予め登録されたユーザ名の有無を検索することにより前記ユーザ名に該当するパスワードを表示するかどうかをチェックし、パスワード名入力画面を表示し、パスワードを表示することを検出した場合に前記パスワード入力画面にパスワードの文字が１文字入力される毎に、入力されたパスワードの文字を表示することを特徴としている。
【０００８】
また、本発明の第２のパスワード表示方法は、クライアントが他装置からログインの要求を受信し、前記クライアントがパスワードを入力される場合のパスワード表示方法であって、前記クライアントは、ログイン要求が発生すると、ログイン入力画面を表示し、前記ログイン入力画面にユーザ名が入力されると、予め登録されたユーザ名の有無を検索することにより前記ユーザ名に該当するパスワードを表示するかどうかをチェックし、パスワードを表示することを検出した場合に前記ログイン入力画面にパスワードの文字が１文字入力される毎に、入力されたパスワードの文字を表示することを特徴としている。
【０００９】
また、本発明の第３のパスワード表示方法は、クライアントが他装置からログインの要求を受信し、前記クライアントがパスワードを入力される場合のパスワード表示方法であって、前記クライアントは、パスワードの入力文字を画面に表示させたいユーザ名を登録した記憶部を準備し、ログイン要求が発生すると、ユーザ名入力画面を表示し、前記ユーザ名入力画面にユーザ名が入力されると、ユーザ名を取得し、そのユーザ名が記憶部に登録されているかどうかを検索し、登録されていれば、表示モードをオンに設定し、表示モードが設定されると、パスワード入力画面を表示し、前記パスワード入力画面にパスワードの文字が１文字入力される毎に、前記表示モードをチェックし、前記表示モードがオンであれば、パスワードの文字を１文字毎に表示することを特徴としている。
【００１０】
また、本発明の第４のパスワード表示方法は、クライアントが他装置からログインの要求を受信し、前記クライアントがパスワードを入力される場合のパスワード表示方法であって、前記クライアントは、パスワードの入力文字を画面に表示させたいユーザ名を登録した記憶部を準備し、ログイン要求が発生すると、ログイン入力画面を表示し、前記ログイン入力画面にユーザ名が入力されると、ユーザ名を取得し、そのユーザ名が記憶部に登録されているかどうかを検索し、登録されていれば、表示モードをオンに設定し、表示モードが設定された後に、前記ログイン入力画面にパスワードの文字が１文字入力される毎に、前記表示モードをチェックし、前記表示モードがオンであれば、パスワードの文字を１文字毎に表示することを特徴としている。
【００１１】
更に、上記第１または第２のパスワード表示方法において、パスワードの表示をすることを検出しない場合に前記パスワード入力画面にパスワードの文字が入力されると、パスワードの文字を表示しないことを特徴としている。
【００１２】
更に、上記第３または第４のパスワード表示方法において、前記表示モードがオフであれば、パスワードの文字を表示しないことを特徴としている。
【００１３】
【発明の実施の形態】
次に、本発明の第１の実施の形態について、図面を参照して説明する。
図１を参照すると、本発明の第１の実施の形態例は、上位装置と図示していないネットワークを介して接続されているクライアント１であって、クライアント１は、上位装置とデータのやり取りを行うインタフェース部１５と、図示していないプロセッサによりプログラム制御で動作する制御部１１と、データを格納する記憶部１２と、データを表示する表示部１３と、データを入力する入力部１４とから構成される。なお、クライアント１は、ネットワークを介して通信できる装置であり、例えば、パーソナルコンピュータ、ワークステーション、電話装置（携帯電話、ＰＨＳ含む）、ゲーム装置、テレビジョン装置等を含んでいる。
【００１４】
また、この場合の上位装置とは、ネットワークを介した装置（例えば、サーバ、ホストコンピュータ、プロバイダ装置等）であって、アクセスされた際にログイン（ユーザ名、パスワード）を要求してくる装置を指している。
【００１５】
記憶部１２は、パスワード表示設定ファイル１２１を含んでいる。なお、記憶部１２は、読み出しおよび書き込みができる不揮発性の記録媒体装置またはメモリ、もしくは読み出しおよび書き込みができる揮発性のメモリを使用しても良いが、電源を落としても消去されなくて読み出し書き込みのできる不揮発性の記録媒体装置（例えば、磁気ディスク装置）を使用する方が望ましい。
【００１６】
パスワード表示設定ファイル１２１は、パスワードの文字を表示したいユーザ名の情報を保存しており、その情報を入力部１４から入力できるようになっている。なお、パスワード表示設定ファイル１２１には、複数のユーザ名を登録することができる。
【００１７】
入力部１４は、図示していないキーボードとマウスから構成されており、データを入力することができる。
【００１８】
制御部１１において、ログイン要求に関するプログラム制御で動作（ログイン要求処理）するブロックを示すと、制御部１１は、ログイン制御部１１１と、パスワード表示設定検索部１１２と、ユーザ名入力部１１３とパスワード入力部１１４とを含む。
【００１９】
制御部１１は、インタフェース部１５からのデータを受信すると、そのデータを解析し、ログイン要求であることを検出すると、ログイン要求処理の制御をログイン制御部１１１に渡す。また、制御部１１は、ログイン要求処理に伴うログインのデータをログイン制御部１１１から受け取ると、ログインのデータをインタフェース部１５を介して上位装置宛に送信する。
【００２０】
ログイン制御部１１１は、制御部１１よりログイン要求処理の制御を受けた際、ユーザ名入力部１１３にユーザ名（ユーザＩＤ）取得を要求する。また、ログイン制御部１１１は、ユーザ名入力部１１３からの取得したユーザ名がパスワードを表示するのかどうかをパスワード表示設定検索部１１２に通知する。また、ログイン制御部１１１は、パスワード表示設定検索部１１２から得たパスワードの文字の表示または非表示をパスワード入力部１１４に通知すると共に、パスワード入力を要求する。また、ログイン制御部１１１は、取得したユーザ名およびパスワードを制御部１１にログイン要求処理の結果として制御を戻す。
【００２１】
パスワード表示設定検索部１１２は、入力されたユーザ名がパスワードを表示するかしないかを決定し、ログイン制御部１１１に通知する。
【００２２】
パスワード入力部１１４は、パスワードを取得した後、ログイン制御部１１１に通知する。
【００２３】
次に、図１〜図３を参照して、本発明の第１の実施の形態例の動作についてに説明する。
始めに、クライアント１において、パスワードの入力時に、パスワードの入力文字を認識できるようにしたい場合、予め記憶部１２のパスワード表示設定ファイル１２１に設定しておく。この場合、複数の表示させたいユーザ名（ユーザＩＤとも言う）を表示ファイル１２１に設定することができる。
【００２４】
すなわち、入力部１４からパスワードの表示設定を行うコマンドを入力すると、制御部１１は、パスワード表示設定画面（「登録」ボタン、「削除」ボタン、「一覧」ボタンを表示）を表示部１３に表示する。入力部１４から「登録」ボタンが選択されると、制御部１１は、表示部１３にユーザ名入力画面を表示し、表示させたいユーザ名が入力されると、記憶部１２のパスワード表示設定ファイル１２１に入力したユーザ名を登録する。なお、入力部１４から「削除」ボタンを選択されると、制御部１１は、ユーザ名一覧表から削除させたいユーザ名を選択させるように表示部１３に表示させ、削除したいユーザ名が入力部１４から選択されると、パスワード表示設定ファイル１２１から該当するユーザ名が削除される。また、入力部１４から「一覧」ボタンが選択されると、制御部１１は、パスワード表示設定ファイル１２１から登録されているユーザ名一覧を読み出し、表示部１３にユーザ名一覧を表示する。
【００２５】
今、クライアント１のインタフェース部１５が上位装置からログイン要求を受けたとすると、制御部１１に制御を渡す。制御を渡された制御部１１は、上位装置からログイン要求であることを解析すると、ログイン制御部１１１にログイン要求処理の制御を渡す。
【００２６】
ログイン要求処理の制御を渡されたログイン制御部１１１は、ユーザ名入力部１１３にユーザ名入力画面の表示要求を行う。ユーザ名入力部１１３は、表示部１３にユーザ名入力画面を表示し、ユーザ名の入力をクライアント１のユーザに要求する（図２のステップＳ１）。
【００２７】
ユーザ名入力部１１３は、入力部１４からユーザ名の入力があると、ユーザ名の取得を行い、ユーザ名をログイン制御部１１１に通知する（ステップＳ２，Ｓ３，Ｓ４）。
【００２８】
ログイン制御部１１１は、入力されたユーザ名が、パスワードを表示するのか、非表示にするのかチェックを行うよう、パスワード表示設定検索部１１２に通知する。通知を受けたパスワード表示設定検索部１１２は、記憶部１２のパスワード表示設定ファイル１２１を入力されたユーザ名をキーとして検索し、入力されたユーザ名がパスワード表示設定ファイル１２１に登録させていればパスワードの文字を表示、登録されていなければパスワードの文字を非表示するようログイン制御部１１１に通知する。この場合、パスワード表示設定検索部１１２は、表示・未表示の判別を表示モード（例えば、１：表示、０：未表示）で設定し、その表示モードの内容をログイン制御部１１１に通知する（ステップＳ５，Ｓ６，Ｓ７）。この場合の表示モードの設定場所は、図示していないプロセッサ内部にあるワークレジスタである。なお、この表示モードを記憶部１２内に設けても良い。
【００２９】
ログイン制御部１１１は、受け取った表示モードを付加して、パスワード入力部１１４にパスワード入力画面を表示するように要求する。すると、パスワード入力部１１４は、パスワード入力画面を表示部１３に表示することで、パスワードの入力をクライアント１のユーザに要求する（ステップＳ８）。
【００３０】
入力部１４から１文字が入力される毎に表示モードの内容がパスワード入力部１１４でチェックされる。すなわち、パスワード入力部１１４は、表示モードが「１」（表示に設定）であれば、表示部１３のパスワード入力画面に入力された文字を１文字毎に表示し、表示モードが「０」であれば、表示部１３のパスワード入力画面に入力された文字を表示しない（例えば「＊」を表示）。このようにして、文字入力が終了するまで１文字入力される毎に表示モードのチェックが繰り返される（ステップＳ９，Ｓ１０，Ｓ１１，Ｓ１２，Ｓ１３）。
【００３１】
パスワードの入力を終了すると、パスワード入力部１１４は、パスワードを取得し、ログイン制御部１１１にパスワードを通知する（ステップＳ１３，Ｓ１４）。
【００３２】
ログイン制御部１１１は、ログイン要求処理の結果として、ユーザ名入力部１１３から得たユーザ名およびパスワード入力部１１４から得たパスワードを制御部１１に渡す（ステップＳ１５）。
【００３３】
制御部１１は、受け取ったログインデータであるユーザ名とパスワードとを要求のあった上位装置に返信する。
【００３４】
なお、上記ステップＳ９〜Ｓ１３の説明において、図３に示すような動作にしても良い。すなわち、パスワード入力部１１４は、ログイン制御部１１１から受け取った表示モード（ワークレジスタに設定されている）を解析して、入力部１４からのパスワードの入力を待つ。パスワード入力画面に対し入力部１４からパスワードの文字の入力があると、パスワード入力部１１４は、表示モードの内容が「１」であれば表示部１３のパスワード入力画面に入力された文字を表示し、表示モードの内容が「０」であれば表示部１３のパスワード入力画面に入力された文字を表示しない（例えば、「＊」を表示）。この場合、パスワード入力部１１４は、１文字入力され毎にパスワード入力画面に１文字ずつ表示する（図３のステップＳ１７，Ｓ１８，Ｓ１９）。
【００３５】
次に、本発明の第２の実施の形態について、図面を参照して説明する。
図４を参照すると、本発明の第２の実施の形態例は、上位装置と図示していないネットワークを介して接続されているクライアント２であって、クライアント２は、上位装置とデータのやり取りを行うインタフェース部２５と、図示していないプロセッサによりプログラム制御で動作する制御部２１と、データを格納する記憶部２２と、データを表示する表示部２３と、データを入力する入力部２４とから構成される。なお、クライアント２は、ネットワークを介して通信できる装置であり、例えば、パーソナルコンピュータ、ワークステーション、電話装置（携帯電話、ＰＨＳ含む）、ゲーム装置、テレビジョン装置等を含んでいる。
【００３６】
記憶部２２は、パスワード表示設定ファイル２２１を含んでいる。なお、記憶部２２は、読み出しおよび書き込みができる不揮発性の記録媒体装置またはメモリ、もしくは読み出しおよび書き込みができる揮発性のメモリを使用しても良いが、電源を落としても消去されなくて読み出し書き込みのできる不揮発性の記録媒体装置（例えば、磁気ディスク装置）を使用する方が望ましい。
【００３７】
パスワード表示設定ファイル２２１は、パスワードの文字を表示したいユーザ名の情報を保存しており、その情報を入力部２４から入力できるようになっている。なお、パスワード表示設定ファイル２２１には、複数のユーザ名を登録することができる。
【００３８】
なお、記憶部２２、表示部２３、入力部２４，およびインタフェース部２５は、本発明の第１の実施の形態で説明した記憶部１２，表示部１３、入力部１４，およびインタフェース部１５と同じ機能を有する。
【００３９】
制御部２１において、ログイン要求に関するプログラム制御で動作（ログイン要求処理）するブロックを示すと、制御部２１は、ログイン制御部２１１と、パスワード表示設定検索部２１２と、ログイン入力部２１３とを含む。
【００４０】
制御部２１は、インタフェース部２５からのデータを受信すると、そのデータを解析し、ログイン要求であることを検出すると、ログイン要求処理の制御をログイン制御部２１１に渡す。また、制御部２１は、ログイン要求処理に伴うログインのデータをログイン制御部２１１から受け取ると、ログインのデータをインタフェース部２５を介して上位装置宛に送信する。
【００４１】
ログイン制御部２１１は、制御部２１よりログイン要求処理の制御を受けた際、ログイン入力部２１３に対しログイン入力画面を表示部２３に表示させる。また、ログイン制御部２１１は、ログイン入力部２１３からの取得したユーザ名がパスワードを表示するのかどうかをパスワード表示設定検索部２１２に通知する。また、ログイン制御部２１１は、パスワード表示設定検索部２１２から得たパスワードの文字の表示または非表示をログイン入力部２１３に通知すると共に、パスワード入力を要求する。また、ログイン制御部２１１は、取得したユーザ名およびパスワードを制御部２１にログイン要求処理の結果として制御を戻す。
【００４２】
パスワード表示設定検索部２１２は、入力されたユーザ名がパスワードを表示するかしないかを決定し、ログイン制御部２１１に通知する。
【００４３】
パスワード入力部２１４は、パスワードを取得した後、ログイン制御部２１１に通知する。
【００４４】
次に、図４〜図６を参照して、本発明の第２の実施の形態例の動作についてに説明する。
始めに、クライアント２において、パスワードの入力時に、パスワードの入力文字を認識できるようにしたい場合、予め記憶部２２のパスワード表示設定ファイル２２１に設定しておく。この場合、複数の表示させたいユーザ名（ユーザＩＤとも言う）を表示ファイル２２１に設定することができる。この場合の記憶部２２のパスワード表示設定ファイル２２１への設定の仕方は、本発明の第１の実施の形態の制御部１１の動作と同じなので説明を省略する。
【００４５】
今、クライアント２のインタフェース部２５が上位装置からログイン要求を受けたとすると、制御部２１に制御を渡す。制御を渡された制御部２１は、上位装置からログイン要求であることを解析すると、ログイン制御部２１１にログイン要求処理の制御を渡す。
【００４６】
ログイン要求処理の制御を渡されたログイン制御部２１１は、ログイン入力部２１３にログイン入力画面の表示要求を行う。ログイン入力部２１３は、表示部２３にログイン入力画面を表示し、ユーザ名およびパスワードの入力をクライアント１のユーザに要求する（図５のステップＳ２１）。
【００４７】
ログイン入力部２１３は、入力部２４からユーザ名の入力があると、ユーザ名の取得を行い、ユーザ名をログイン制御部２１１に通知する（ステップＳ２２，Ｓ２３，Ｓ２４）。
【００４８】
ログイン制御部２１１は、入力されたユーザ名が、パスワードを表示するのか、非表示にするのかチェックを行うよう、パスワード表示設定検索部２１２に通知する。通知を受けたパスワード表示設定検索部２１２は、記憶部２２のパスワード表示設定ファイル２２１を入力されたユーザ名をキーとして検索し、入力されたユーザ名がパスワード表示設定ファイル２２１に登録させていればパスワードの文字を表示、登録されていなければパスワードの文字を非表示するようログイン制御部２１１に通知する。この場合、パスワード表示設定検索部２１２は、表示・未表示の判別を表示モード（例えば、１：表示、０：未表示）で設定し、その表示モードの内容をログイン制御部２１１に通知する（ステップＳ２５，Ｓ２６，Ｓ２７）。この場合の表示モードの設定場所は、図示していないプロセッサ内部にあるワークレジスタである。なお、この表示モードを記憶部２２内に設けても良い。
【００４９】
ログイン制御部２１１は、受け取った表示モードをログイン入力部２１３に通知する。一方、入力部２４から１文字が入力される毎に表示モードの内容がログイン入力部２１３でチェックされる。すなわち、ログイン入力部２１３は、表示モードが「１」（表示に設定）であれば、表示部２３のログイン入力画面に入力された文字を１文字毎に表示し、表示モードが「０」であれば、表示部２３のログイン入力画面に入力された文字を表示しない（例えば「＊」を表示）。このようにして、文字入力が終了するまで１文字が入力される毎に表示モードのチェックが繰り返される（ステップＳ２８，Ｓ２９，Ｓ３０，Ｓ３１，Ｓ３２）。
【００５０】
パスワードの入力を終了すると、ログイン入力部２１３は、パスワードを取得し、ログイン制御部２１１にパスワードを通知する（ステップＳ３２，Ｓ３３）。
【００５１】
ログイン制御部２１１は、ログイン要求処理の結果として、ログイン入力部１１３から得たユーザ名およびパスワードを制御部２１に渡す（ステップＳ３４）。
【００５２】
制御部２１は、受け取ったログインデータであるユーザ名とパスワードとを要求のあった上位装置に返信する。
【００５３】
なお、上記ステップＳ２８〜Ｓ３２の説明において、図６に示すような動作にしても良い。すなわち、ログイン入力部２１３は、ログイン制御部２１１から受け取った表示モード（ワークレジスタに設定されている）を解析して、入力部２４からのパスワードの入力を待つ。ログイン入力画面に対し入力部２４からパスワードの文字の入力があると、ログイン入力部２１３は、表示モードの内容が「１」であれば表示部１３のログイン入力画面に入力された文字を表示し、表示モードの内容が「０」であれば表示部１３のログイン入力画面に入力された文字を表示しない（例えば、「＊」を表示）。この場合、ログイン入力部２１３は、１文字入力される毎にログイン入力画面に１文字ずつ表示する（図６のステップＳ３５，Ｓ３６，Ｓ３７）。
【００５４】
以上説明したように、本発明は、特定ユーザのユーザ名（ユーザＩＤ）を予め記憶部に登録するかどうかにより、特定ユーザのパスワード入力文字を画面に表示することもでき、表示させないこともできる。
【００５５】
特に、アカウントＩＤをもっていなくてもＦＴＰ（Ｆｉｌｅ  Ｔｒａｎｓｆｅｒ  Ｐｒｏｔｏｃｏｌ）の実行のできるａｎｏｎｙｍｏｕｓ  ＦＴＰの場合、パスワードとなる電子メールのアドレス（通常のパスワードと違い長い文字を入力することになるため、入力ミスが起こり易い）を入力することになるので、有効である。
【００５６】
【発明の効果】
上記に説明したように、本発明は、何らかの理由でパスワードを表示させたい場合に、ユーザ名を予め記憶部に登録し、入力されたユーザ名が登録されていると、パスワードを表示するようにしているため、パスワードの入力ミスがなくなり、パスワードの入力文字を確認しながら入力を行うことができるという効果がある。
【図面の簡単な説明】
【図１】本発明の第１の実施の形態の構成を示すブロック図である。
【図２】図１の制御部がログイン要求処理を行う場合の動作を示すフローチャートである。
【図３】図１の制御部が図２の動作の中で、一部別の動作例を示すフロ−チャートである。
【図４】本発明の第２の実施の形態の構成を示すブロック図である。
【図５】図４の制御部がログイン要求処理を行う場合の動作を示すフローチャートである。
【図６】図４の制御部が図５の動作の中で、一部別の動作例を示すフロ−チャートである。
【符号の説明】
１，２    クライアント
１１，２１    制御部
１２，２２    記憶部
１３，２３    表示部
１４，２４    入力部
１５，２５    インタフェース部
１１１，２１１    ログイン制御部
１１２，２１２    パスワード表示設定検索部
１１３    ユーザ名入力部
１１４    パスワード入力部
２１３    ログイン入力部
【図１】
0003721046.tif 000002
【図２】
0003721046.tif 000003
【図３】
0003721046.tif 000004
【図４】
0003721046.tif 000005
【図５】
0003721046.tif 000006
【図６】
0003721046.tif 000007